(57)【特許請求の範囲】
【請求項１】
既設枠体に対して固定される捨て枠と、捨て枠を介して既設枠体に固定される新設枠体と、既設枠体と新設枠体との間の間隙に配置される加熱膨張材とを備え、
加熱膨張材は新設枠体に配置されており、既設枠体と捨て枠との当接部位に対向する位置に配置されている
ことを特徴とする防火改装サッシ。
【発明の詳細な説明】
【技術分野】
【０００１】
本発明は、建物開口部に設置されている建具の既設枠体を取り除くことなく新設の枠体を設置して建具を改装するとともに、防火性を向上させる防火改装サッシに関する。
【背景技術】
【０００２】
建物開口部に設置されている既設サッシを改装するための改装サッシは公知となっている。（特許文献１）
この特許文献１の改装サッシは、既設の枠体の内周に新設の枠体を配置し、新設の枠体と既設の枠体との間に熱膨張性耐火材を配置することにより、火災時に膨張した熱膨張性耐火材により既設枠体と新設枠体との間を塞いで室内外の連通を防止するものである。
【先行技術文献】
【特許文献】
【０００３】
【特許文献１】特開２０１５−９４１７１号
【発明の概要】
【発明が解決しようとする課題】
【０００４】
しかし、上記特許文献１の改装サッシは、熱膨張性耐火材を単に既設の枠体と新設の枠体との間に配置しているだけであるので、熱膨張性耐火材が既設の枠体と新設の枠体との間に十分に充満することができずに隙間が生じたり、また、熱膨張性耐火材が既設の枠体と新設の枠体との間に充満するまでに時間がかかる可能性があった。
また、既設枠体に対して捨て枠を介して新設枠体を取り付ける場合には、捨て枠が膨張性耐火材の充満の妨げになることがあり、既設枠体と新設枠体との隙間に十分に行き渡らせることできず、既設枠体と捨て枠との間から煙や炎が侵入する可能性があった。
【０００５】
本発明は、上記の事情を鑑みたものであり、火災時に既設の枠体と新設の枠体との間を効率的に塞ぐことができ、捨て枠を介して新設枠体を固定する場合であっても、室内外の連通を素早く確実に防止することができる防火改装サッシを提供することを目的とする。
【課題を解決するための手段】
【０００６】
本発明は、既設枠体に対して固定される捨て枠と、捨て枠を介して既設枠体に固定される新設枠体と、既設枠体と新設枠体との間の間隙に配置される加熱膨張材とを備え、加熱膨張材は新設枠体に配置されており、既設枠体と捨て枠との当接部位に対向する位置に配置されていることを特徴とする。
【発明の効果】
【０００７】
本発明によれば、既設の枠体と新設の枠体との間を効率的に塞ぐことができ、室内外の連通を防ぐことができる。
【図面の簡単な説明】
【０００８】
【図１】本発明の実施形態に係る防火改装サッシの縦断面図である。
【図２】本発明の実施形態に係る防火改装サッシの横断面図である。
【図３】本発明の実施形態に係る防火改装サッシの防火機能を説明するための図であり、（ａ）は、通常時の上枠部分の縦断面図であり、（ｂ）は火災時の上枠部分の縦断面図である。
【図４】本発明の実施形態に係る防火改装サッシの防火機能を説明するための図であり、（ａ）は、通常時の下枠部分の縦断面図であり、（ｂ）は火災時の下枠部分の縦断面図である。
【図５】本発明の実施形態に係る防火改装サッシの防火機能を説明するための図であり、（ａ）は、通常時の縦枠部分の横断面図であり、（ｂ）は火災時の縦枠部分の横断面図である。
【図６】本発明の実施形態に係る防火改装サッシの捨て枠及び加熱膨張材の配置を説明するための図であり、防火改装サッシを室内側から見たときの、捨て枠及び加熱膨張材の配置状態を示す図である。
【図７】本発明の実施形態に係る防火改装サッシの捨て枠及び加熱膨張材の配置を説明するための図であり、新設枠体を省いた状態の縦断面図である。
【図８】本発明の実施形態に係る防火改装サッシの捨て枠及び加熱膨張材の配置を説明するための図であり、新設枠体を省いた状態の横断面図である。
【図９】本発明の実施形態に係る防火改装サッシの防火機能を説明するための図であり、（ａ）は、通常時の捨て枠の存在しない上枠部分の縦断面図であり、（ｂ）は火災時の捨て枠の存在しない上枠部分の縦断面図である。
【図１０】本発明の実施形態に係る防火改装サッシの防火機能を説明するための図であり、（ａ）は、通常時の捨て枠の存在しない下枠部分の縦断面図であり、（ｂ）は火災時の捨て枠の存在しない下枠部分の縦断面図である。
【図１１】本発明の実施形態に係る防火改装サッシの防火機能を説明するための図であり、（ａ）は、通常時の捨て枠の存在しない縦枠部分の横断面図であり、（ｂ）は火災時の捨て枠の存在しない縦枠部分の横断面図である。
【図１２】本発明の他の実施形態に係る防火改装サッシの防火機能を説明するための図であり、（ａ）は、通常時の縦枠部分の横断面図であり、（ｂ）は火災時の縦枠部分の横断面図である。
【図１３】本発明の他の実施形態に係る防火改装サッシの防火機能を説明するための図であり、（ａ）は、通常時の捨て枠の存在しない縦枠部分の横断面図であり、（ｂ）は火災時の捨て枠の存在しない縦枠部分の横断面図である。
【図１４】本発明の他の実施形態に係る防火改装サッシの防火機能を説明するための図であり、（ａ）（ｂ）はともに、通常時の上枠部分の横断面図である。
【図１５】本発明の他の実施形態に係る防火改装サッシの防火機能を説明するための図であり、（ａ）（ｂ）はともに、通常時の下枠部分の横断面図である。
【発明を実施するための形態】
【０００９】
本発明の実施形態に係る防火改装サッシについて、図面を参考にして説明する。
（全体の構成）
本発明の実施形態に係る防火改装サッシは、図１、２に示すように、建物開口部に設置されている既設枠体１の内周に捨て枠２が固定され、捨て枠２を介して新設枠体３が取り付けられており、既設枠体１にほとんど加工を施すことなく改装サッシを施工することができるものである。
【００１０】
（既設枠体）
本実施形態に係る防火改装サッシにより改装される既設枠体１は、既設上枠１１，既設下枠１２、既設左縦枠１３及び既設右縦枠１４を四周に組んでなり、既設上枠１１及び既設下枠１２には、図示しない内障子及び外障子を引違い自在に案内する上案内レール１１ｅ，１１ｆ及び下案内レール１２ｅ，１２ｆが設けられている。
【００１１】
図１に示すように、既設枠体１の既設上枠１１は、建物開口部の内周面を形成する既設上枠本体１１ａと、既設上枠本体１１ａの室内側端及び室外側端に連設される室内側壁１１ｂ及び室外側壁１１ｃと、室内側壁１１ｂの室内側面から室内側に延設される顎部１１ｄと、既設上枠本体１１ａの内周面から垂下される上案内レール１１ｅ，１１ｆとを備えている。
また、既設枠体１の既設下枠１２は、建物開口部の内周面を形成する既設下枠本体１２ａと、既設下枠本体１２ａの室内側端から立設する室内側壁１２ｂと、室内側壁１２ｂの上端から室内側に延設される顎部１２ｃとを備える。さらに、既設下枠本体１２ａの上面は室外側に向かって下方に傾斜する水切り部として形成されており、既設下枠本体１２ａの室外側端から前壁部１２ｄが下方に垂設されている。既設下枠本体１２ａの内周面（上面）には、図示しない内障子及び外障子を引違い自在に案内する下案内レール１２ｅ，１２ｆが設けられている。
【００１２】
図２に示すように、既設枠体１の既設左縦枠１３は、建物開口部の内周面を形成する既設左縦枠本体１３ａと、既設左縦枠本体１３ａの室内側に連設される室内側壁１３ｂと、室内側壁１３ｂからさらに室内側に延びる顎部１３ｃと、既設左縦枠本体１３ａの室外側に連設される室外側壁１３ｄを備えている。なお、既設右縦枠１４の構成は、既設左縦枠１３の構成と同様であるので、説明は省略する。
【００１３】
（捨て枠）
既設上枠１１の内周面に配置される上捨て枠２１は、図１に示すように、既設上枠１１の内周側に配置される見込み面部２１ａと見込み面部２１ａの室内側及び室外側から外周方向（上方）に延びる室内側係止壁部２１ｂと室外側係止壁部２１ｃとからなり、建物開口部の左右方向の見付け幅寸法以下の長さを有する長尺部材として形成されている。
そして、上捨て枠２１の見込み面部２１ａの上面を既設上枠１１の上案内レール１１ｅ，１１ｆの下端に内周側から当接させるとともに、室内側係止壁部２１ｂ及び室外側係止壁部２１ｃを既設上枠１１の室内側壁１１ｂ及び室外側壁１１ｃによって形成される凹所に下方より挿入して、室内側係止壁部２１ｂ及び室外側係止壁部２１ｃと室内側壁１１ｂ及び室外側壁１１ｃとをビス等の固定手段ｂ，ｂで固定することにより、上捨て枠２１が既設上枠１１に取り付けられている。
【００１４】
既設下枠１２の内周側に配置される下捨て枠２２は、既設下枠１２の下案内レール１２ｅに支持される複数個の支持部材２２１と、建物開口部の左右方向の見付け幅寸法以下の長さを有する長尺部材からなり複数個の支持部材２２１上に配置される載置面部材２２２とから形成されている。
【００１５】
既設左縦枠１３の内周面に配置される左側の縦捨て枠２３は、図２に示すように、既設左縦枠１３の内周側に配置される見込み面部２３ａと見込み面部２３ａの室内側及び室外側から外周方向に延びる室内側係止壁部２３ｂと室外側係止壁部２３ｃとからなり、建物開口部の上下方向の見付け幅寸法以下の長さを有する長尺部材として形成されている。
そして、左縦捨て枠２３は、見込み面部２３ａが内周側に配置するようにして室内側係止壁部２３ｂ及び室外側係止壁部２３ｃを既設左縦枠１３の室内側壁１３ｂ及び室外側壁１３ｄによって形成される凹所に内周側より挿入し、室内側係止壁部２３ｂ及び室外側係止壁部２３ｃと室内側壁１３ｂ及び室外側壁１３ｄとをビス等の固定手段ｂ，ｂで固定することにより、既設左縦枠１３に取り付けられている。
なお、縦捨て枠の構成は、基本的に左右で相違するものでなく、右側の縦捨て枠２４についての説明は省略する。
【００１６】
（新設枠体）
新設枠体３を構成する新設上枠３１は上捨て枠２１の内周側に配置され、図１に示すように、改修サッシの内周面を形成する新設上枠本体３１ａと、新設上枠本体３１ａの室内側端部に連設されて垂下される室内側壁３１ｂと、室内側壁３１ｂの上端が室内側に屈曲して形成される屈曲壁３１ｃと、新設上枠本体３１ａの見込み方向略中央位置から下方に垂設される中央垂下壁３１ｄと、新設上枠本体３１ａの室外側から下方に垂設される外案内レール３１ｅ及び網戸レール３１ｆと、を備えており、新設上枠本体３１ａの上面には、新設上枠３１の長手方向に複数延びる突条部３１ｇ，３１ｈを有している。
そして、新設上枠３１は、上捨て枠２１の見込み面部２１ａに対してスペーサ９１を介して配置されており、突条部３１ｇ，３１ｈをスペーサ９１の下面に当接させた状態で上捨て枠２１に対してスペーサ９１とともにビス等の固定手段ｂにより共締めして固定されている。
【００１７】
新設上枠３１の屈曲壁３１ｃの室内側端面は既設上枠１１の室内側壁１１ｂの室内側面と見込み方向でほぼ面一に配置されており、屈曲壁３１ｃの下面から室内側端面及び既設上枠１１の室内側壁１１ｂの室内側面に亘って気密テープ８１によって被覆されている。
また、新設上枠３１の新設上枠本体３１ａの室外側は、既設上枠１１の室外側壁１１ｃの室外側面よりも室外側に突出しており、新設上枠本体３１ａの室外側端部上面には、難燃性の材料よりなるヒレ状部材７１が取り付けられている。ヒレ状部材に用いられる難燃性の材料としては、例えば複合防火ＰＶＣ、難燃シリコン、クロロプレンゴム等が用いられる。ヒレ状部材７１は、新設上枠本体３１ａに固定される固定部７１ａと固定部７１ａから突出するヒレ片７１ｂとからなり、ヒレ片７１ｂが既設上枠１１の室外側面に当接することで外部からの雨水等の侵入を防いでいる。
【００１８】
新設枠体３を構成する新設下枠３２は、図１に示すように、室外側が低く室内側が高く階段状に形成され、既設下枠１２の上方に配置されて改修サッシの内周面を形成する新設下枠本体３２ａと、新設下枠本体３２ａの室内側端に連設される室内側壁３２ｂと、新設下枠本体３２ａの室外側より垂下される前壁部３２ｃと、新設下枠本体３２ａの上面より上方に突出する内レール３２ｄ及び外レール３２ｅと、前壁部３２ｃの室外側面より突出する網戸下レール３２ｆと、階段状に形成された新設下枠本体３２ａの上段部より室外側に向かって突出する気密材保持壁３２ｇとを備えている。
新設下枠３２が施工されるに際しては、既設下枠１２の下案内レール１２ｆが切除され、新設下枠３２は、室外側が下案内レール１２ｆが切除された既設下枠１２の上面に載置されると共に、室内側が下捨て枠２２の上面に支持されることで、既設下枠１２の内周（上方）位置に配置されて施工される。施工された新設下枠３２の室内側壁３２ｂと既設下枠１２の室内側壁１２ｂとは間隔をあけて対向しており、新設下枠３２の室内側壁３２ｂから顎部１２ｃの上面に亘って気密テープ８２が設けられている。
さらに、気密テープ８２を覆うように、既設下枠１２の顎部１２ｃの上面には合成樹脂製の顎部材４２がビス等の固定手段ｂによって顎部１２ｃとともに建物開口部に共締め固定されている。
【００１９】
新設枠体３を構成する新設左縦枠３３は左側の縦捨て枠２３の内周側に配置され、図２に示すように、改修サッシの内周面を形成する新設左縦枠本体３３ａと、新設左縦枠本体３３ａの室内側より内周方向に延設される室内側壁３３ｂと、室内側壁３３ｂよりさらに室内側に延設される室内側見込み壁３３ｃと、新設左縦枠本体３３ａの室外側端より内周方向に延設される室外側壁３３ｄと、新設左縦枠本体３３ａの内周面の見込み方向略中央位置より内周方向に延設される中央壁３３ｅと、を備えており、新設左縦枠本体３３ａの外周面には、新設左縦枠３３の長手方向に複数延びる突条部３３ｆ，３３ｇを有している。
そして、新設左縦枠３３は、左縦捨て枠２３の見込み面部２３ａに対してスペーサ９３を介して配置されており、突条部３３ｆ，３３ｇをスペーサ９３の内周面に当接させた状態で左縦捨て枠２３に対してスペーサ９３とともにビス等の固定手段ｂにより共締めして固定されている。
【００２０】
新設左縦枠３３の室内側見込み壁３３ｃの室内側端面は既設左縦枠１３の室内側壁１３ｂの室内側面と見込み方向でほぼ面一に配置され、室内側見込み壁３３ｃの内周面から室内側端面、及び既設左縦枠１３の室内側壁１３ｂの室内側面に亘って気密テープ８３により被覆されている。
また、新設左縦枠３３の新設左縦枠本体３３ａの室外側は、既設左縦枠１３の室外側壁１３ｄの室外側面よりも室外側に突出しており、新設左縦枠本体３３ａの室外側端部外周面には、難燃性の材料よりなるヒレ状部材７３が取り付けられている。ヒレ状部材７３は、新設左縦枠３３に固定される固定部７３ａと固定部７３ａから突出するヒレ片７３ｂとからなり、ヒレ片７３ｂが既設左縦枠１３の室外側面に当接することで外部からの雨水等の侵入を防いでいる。
なお、左右の新設縦枠３３，３４の構成は、基本的に左右で相違するものでなく、新設右縦枠３４についての説明は省略する。
【００２１】
（防火構造）
上記構成を有する本実施形態に係る防火改装サッシは、火災時に既設枠体１と新設枠体３との間の間隙からの煙や炎の侵入を防止するための防火構造を備えている。
以下に、本実施形態に係る防火改装サッシの防火構造について、図３乃至５を参考にして説明する。
【００２２】
既設上枠１１と新設上枠３１との間に形成される間隙ｓ１には、図３（ａ）に示すように、見込み方向の両端付近、すなわち室内側端部近傍及び室外側端部近傍に、加熱により膨張する加熱膨張材が配置されている。
間隙ｓ１における室内側端部近傍については、新設上枠３１の屈曲壁３１ｃの上面に加熱膨張材５１が配置され、同室外側端部近傍については、新設上枠３１の新設上枠本体３１ａの既設上枠１１よりも室外側に突出した部位の上面に加熱膨張材５２が配置され、いずれも新設上枠３１の全長に亘って配置されている。
【００２３】
室内側の加熱膨張材５１が配置される屈曲壁３１ｃは、新設上枠本体３１ａに比べて上方位置に形成されていることから屈曲壁３１ｃの上面は上捨て枠２１の見込み面部２１ａの下面に近接しており、屈曲壁３１ｃの上方に形成される間隙は間隙ｓ１の他の部分に比較して上下方向に狭い空間として形成されている。
また、新設上枠本体３１ａの室外側に突出した部位の上面に配置された加熱膨張材５２は、新設上枠３１に固定されたヒレ状部材７１の固定部７１ａの近傍位置に配置され、加熱膨張材５２の上方にはヒレ状部材７１のヒレ片７１ｂが配置されることで、加熱膨張材５２の上方位置には新設上枠３１と既設上枠１１とヒレ状部材７１とによって室外側が狭く室内側が広い空間ｓ１１が形成されている。
【００２４】
火災が発生した際には、図３（ｂ）に示すように、室内側に配置した加熱膨張材５１は、加熱により屈曲壁３１ｃの上方に形成される比較的上下方向に狭い空間に向かって膨張し、すぐに上捨て枠２１の見込み面部２１ａに到達することができ、既設上枠１１と新設上枠３１との間隙ｓ１の室内側にすばやく充満されて閉塞することができる。
また、室外側に配置した加熱膨張材５２は、加熱により上方に配置されるヒレ状部材７１に向かって膨張するが、難燃性の材料によりなるヒレ状部材７１は加熱膨張材５２が膨張する間は燃え尽きることなく形状を維持し、加熱膨張材５２が飛散することを抑制することができるので、加熱膨張材５２は既設枠体１１と新設枠体３１とヒレ状部材７１とにより形成される空間ｓ１１に密に膨張して、既設上枠１１と新設上枠３１との間に形成される間隙ｓ１の室外側を確実に閉塞することができる。
【００２５】
既設下枠１２と新設下枠３２との間に形成される間隙ｓ２には、図４（ａ）に示すように、見込み方向の両端付近、すなわち室内側端部近傍及び室外側端部近傍に、加熱により膨張する加熱膨張材が配置されている。
間隙ｓ２における室内側端部近傍については、新設下枠３２の室内側壁３２ｂの室内側面に加熱膨張材５３が配置され、同室外側端部近傍については、新設下枠３２の前壁部３２ｃの室内側面に加熱膨張材５４が配置され、いずれも新設下枠３２の全長に亘って配置されている。
【００２６】
室内側の加熱膨張材５３が配置される室内側壁３２ｂは、下捨て枠２２の載置面部材２２２及び既設下枠１２の室内側壁１２ｂに近接した状態で対向しており、新設下枠３２の室内側壁３２ｂと既設下枠１２の室内側壁１２ｂとで形成される間隙は見込み方向に狭い空間として形成されている。
また、室外側の加熱膨張材５４が配置される新設下枠３２の前壁部３２ｃは、既設下枠１２の前壁部１２ｄに近接した状態で対向しており、新設下枠３２の前壁部３２ｃと既設下枠１２の前壁部１２ｄとで形成される間隙は見込み方向に狭い空間として形成されている。
【００２７】
火災が発生した際には、図４（ｂ）に示すように、室内側に配置した加熱膨張材５３は、加熱により既設下枠１２の室内側壁１２ｂに向かって膨張し、すぐに既設下枠１２の室内側壁１２ｂに到達することができる。そして、新設下枠３２の室内側壁３２ｂと既設下枠１２の室内側壁１２ｂとで形成される間隙は、上部が気密テープ８２によって気密されているので室内側に漏れ出すことなく、既設下枠１２と新設下枠３２との間隙ｓ２の室内側に密に膨張して、すばやく確実に閉塞することができる。
また、室外側に配置した加熱膨張材５４は、加熱により既設下枠１２の前壁部１２ｄに向かって膨張し、すぐに新設下枠３２の前壁部３２ｃと既設下枠１２の前壁部１２ｄとで形成される間隙に密に膨張するので、新設下枠３２と既設下枠１２との間隙ｓ２の室外側をすばやく確実に閉塞することができる。
【００２８】
既設左縦枠１３と新設左縦枠３３との間に形成される間隙ｓ３には、図５（ａ）に示すように、見込み方向の両端付近、すなわち室内側端部近傍及び室外側端部近傍に、加熱により膨張する加熱膨張材が配置されている。
間隙ｓ３における室内側端部近傍については、新設左縦枠３３の室内側見込み壁３３ｃの外周面に加熱膨張材５５が配置され、同室外側端部近傍については、新設左縦枠３３の新設左縦枠本体３３ａの既設左縦枠１３よりも室外側に突出した部位の外周面に加熱膨張材５６が配置され、いずれも新設左縦枠３３の全長に亘って配置されている。
【００２９】
室内側の加熱膨張材５５が配置される室内側見込み壁３３ｃは、既設左縦枠１３の室内側壁１３ｂと左縦捨て枠２３の室内側係止壁部２３ｂとの当接部位に対向している。
また、新設左縦枠本体３３ａの室外側に配置される加熱膨張材５６は、ヒレ状部材７３の固定部７３ａの近傍位置に配置され、加熱膨張材５６の外周にはヒレ状部材７３のヒレ片７３ｂが配置されることで、加熱膨張材５６の外周位置には新設左縦枠３３と既設左縦枠１３とヒレ状部材７３とによって室外側が狭く室内側が広い空間ｓ３１が形成されている。
【００３０】
火災が発生した際には、図５（ｂ）に示すように、室内側に配置した加熱膨張材５５は、加熱により既設左縦枠１３の室内側壁１３ｂと左縦捨て枠２３の室内側係止壁部２３ｂとの当接部位に向かって膨張し、既設左縦枠１３と新設左縦枠３３との間だけでなく、既設左縦枠１３と左縦捨て枠２３との間からの煙や火炎の侵入をすばやく防ぐことができ、既設左縦枠１３と新設左縦枠３３との間隙ｓ３の室内側をより確実に閉塞することができる。
また、室外側に配置した加熱膨張材５６は、加熱により外周に配置されるヒレ状部材７３に向かって膨張するが、難燃性の材料によりなるヒレ状部材７３は加熱膨張材５６が膨張する間は燃え尽きることなく形状を維持し、加熱膨張材５６が飛散することを抑制することができるので加熱膨張材５６は既設左縦枠１３と新設左縦枠３３とヒレ状部材７３とにより形成される空間ｓ３１に密に膨張して、既設左縦枠１３と新設左縦枠３３との間に形成される間隙ｓ３の室外側を確実に閉塞することができる。
【００３１】
以上のように、本実施形態に係る防火改装サッシにおいては、既設枠体１と新設枠体３との間に効率的に充満される加熱膨張材を有しており、有効な防火構造を備えている。
そして、本実施形態に係る防火改装サッシにおいては、捨て枠の存在しない四隅部においてさらなる防火構造を備えている。以下に図６乃至１１を参考に説明する。
【００３２】
本実施形態に係る防火改装サッシは、上捨て枠２１，下捨て枠２２及び左右の縦捨て枠２３，２４は、建具の左右方向及び上下方向の全長に亘って配置されるものではなく、図６に示すように、その角部に捨て枠２が配置されない領域が存在する。
そこで、本実施形態の防火改装サッシは、前述の加熱膨張材５１乃至５６に加え、捨て枠２の両側に加熱膨張材６１乃至６８を配置することにより、該領域における火炎や煙の侵入を抑制している。
【００３３】
上捨て枠２１の左右両側に配置される加熱膨張材６１，６２は、図７，８に示すように、既設上枠１１の室内側壁１１ｂの室外側面に配置されており、上捨て枠２１の両端部位置から既設上枠１１の両端部に亘って設けられている。
そのため、図９（ａ）に示すように、上捨て枠２１が存在しない領域において、既設上枠１１と新設上枠３１との間に形成される間隙ｓ５には、前述の室内側の加熱膨張材５１及び室外側の加熱膨張材５２と、既設上枠１１の室内側壁１１ｂの室外側面に配置される加熱膨張材６１，６２とによって防火構造が形成されている。
【００３４】
火災が発生した際には、図９（ｂ）に示すように、室内側の加熱膨張材５１と既設上枠１１の室内側壁１１ｂの室外側面に配置される加熱膨張材６１，６２が、膨張して一体化することにより、既設上枠１１の上案内レール１１ｅの室内側に形成される間隙に加熱膨張材５１，６１，６２が十分に充満して、既設上枠１１と新設上枠３１との間に形成される間隙ｓ５の室内側を閉塞することができる。
また、室外側に配置した加熱膨張材５２は、前述のように、既設枠体１１と新設枠体３１とヒレ状部材７１とにより形成される空間ｓ１１に密に膨張して、既設上枠１１と新設上枠３１との間に形成される間隙ｓ５の室外側を確実に閉塞することができる。
【００３５】
下捨て枠２２の左右両側に配置される加熱膨張材６３，６４は、図７，８に示すように、既設下枠１２の室内側壁１２ｂの室外側面に配置されており、下捨て枠２２の載置面部材２２２の両端部位置から既設下枠１２の両端部に亘って設けられている。
そのため、図１０（ａ）に示すように、下捨て枠２２が存在しない領域において、既設下枠１２と新設下枠３２との間に形成される間隙ｓ６には、前述の室内側の加熱膨張材５３及び室外側の加熱膨張材５４と、既設下枠１２の室内側壁１２ｂの室外側面に配置される加熱膨張材６３，６４とによって防火構造が形成されている。
【００３６】
火災が発生した際には、図１０（ｂ）に示すように、室内側の加熱膨張材５３と既設下枠１２の室内側壁１２ｂの室外側面に配置される加熱膨張材６３，６４が、膨張して一体化することにより、既設下枠１２の下案内レール１２ｅの室内側に形成される間隙に加熱膨張材５３，６３，６４が十分に充満して、既設下枠１２と新設下枠３２との間に形成される間隙ｓ６の室内側を閉塞することができる。
また、室外側に配置した加熱膨張材５４は、前述のように、新設下枠３２の前壁部３２ｃと既設下枠１２の前壁部１２ｄとで形成される間隙に密に膨張するので、新設下枠３２と既設下枠１２との間隙ｓ６の室外側をすばやく確実に閉塞することができる。
【００３７】
左縦捨て枠２の上下両側に配置される加熱膨張材６５，６６は、図７，８に示すように、左既設縦枠１３の室内側壁１３ｂの室外側面に配置されており、左縦捨て枠２３の上下端部位置から既設縦枠１３の両端部に亘って設けられている。
そのため、図１１（ａ）に示すように、左縦捨て枠２３が存在しない領域において、左既設縦枠１３と左新設縦枠３３との間に形成される間隙ｓ７には、前述の室内側の加熱膨張材５５及び室外側の加熱膨張材５６と、左既設縦枠１３の室内側壁１３ｂの室外側面に配置される加熱膨張材６５，６６とによって防火構造が形成されている。
【００３８】
火災が発生した際には、図１１（ｂ）に示すように、室内側の加熱膨張材５５と左既設縦枠１３の室内側壁１３ｂの室外側面に配置される加熱膨張材６５，６６が、膨張して一体化することにより、左既設縦枠１３と左新設縦枠３３との間に形成される間隙ｓ７の室内側に充満して閉塞することができる。
また、室外側に配置した加熱膨張材５６は、前述のように、既設左縦枠１３と新設左縦枠３３とヒレ状部材７３とにより形成される空間ｓ３１に密に膨張して、既設左縦枠１３と新設左縦枠３３との間に形成される間隙ｓ７の室外側を確実に閉塞することができる。
【００３９】
このように、本実施形態の防火改装サッシにおいては、捨て枠が配置されていない新設枠体の両端部近傍の領域には既設枠体１の室内側壁の室外側面に加熱膨張材が配置されているので、新設枠体３の室内側に配置される加熱膨張材とともに一体化して膨張し、既設枠体と新設枠体との間に大きな間隙が存在しても、加熱膨張材によって十分に充満することができ、既設枠体と新設枠体の間隙を確実に閉塞することができる。
【００４０】
なお、本発明は、上記実施形態に係る防火改装サッシの構成に限定されるものではなく、既設枠体の状況等に合わせて防火構造を変更することができる。
例えば、図１２に示すように、見込み方向に幅の広い既設縦枠１３，１４を備える防火改装サッシの場合には、新設左縦枠３３の室内側見込み壁３３ｃの外周面に設けられる室内側の加熱膨張材５５は、左縦捨て枠２３の内周面に対向し、膨張により左縦捨て枠２３の内周面に当接することで室内側の防火構造を形成することができる。
そして、縦捨て枠２３が存在しない両端の領域においては、図１３に示すように、室内側の加熱膨張材５５に加えて、既設左縦枠１３の室内側壁１３ｂの室外側面に加熱膨張材６５，６６が配置され、新設左縦枠３３の室内側見込み壁３３ｃの外周面に設けられる加熱膨張材５５と既設左縦枠１３の室内側壁１３ｂの室外側面に設けられる加熱膨張材６５，６６とが膨張により一体化して、室内側の空間に充満して既設枠体と新設枠体との間隙を閉塞することができる。
【００４１】
さらに、上枠部分の防火構造においては、図１４（ａ）に示すように、新設上枠３１の屈曲壁３１ｃの上面に加熱膨張材５１を配置するポケット部３１ｉを設けてもよく、図１４（ｂ）に示すように、新設上枠３１の新設上枠本体３１ａの室内側上面に加熱膨張材５１を配置するポケット部３１ｉを設けて加熱膨張材５１を配置してもよい。ポケット部３１ｉを設けることにより、加熱膨張材５１の脱落を防止することができる。
また、図１５（ａ）に示すように、下枠部分の防火構造において、室外側の加熱膨張材５４を新設下枠３２の前壁部３２ｃの室内側面に設けるのではなく、新設下枠３２の新設下枠本体３２ａの室外側下面に配置してもよい。
さらに、本発明の防火改装サッシにより施工される新設枠体３は、階段状の下枠を備えるものに限定されるものではなく、例えば図１５（ｂ）に示すように、室外側の外レールの高さが室内側の内レールの高さよりも高い形式の改装サッシとして構成されてもいい。そのような場合には、下捨て枠２２は、内外レールの上面に配置される見込み方向に幅の広い下捨て枠２２を用いることが好ましい。
【００４２】
以上のように、本実施形態の放火改装サッシにおいては、火災が発生した際に、新設枠体に配設した加熱膨張材は、既設枠材と新設枠材との間だけでなく、既設枠材と捨て枠との当接部位を覆うので、既設枠体と縦捨て枠と新設枠体の間からの煙や火炎の侵入をすばやく防ぐことができ、既設枠体と新設枠体の間隙をより確実に閉塞することができる。
【符号の説明】
【００４３】
１      ：既設枠体
１１    ：既設上枠
１１ａ  ：既設上枠本体
１１ｂ  ：室内側壁
１１ｃ  ：室外側壁
１１ｄ  ：顎部
１１ｅ  ：上案内レール
１１ｆ  ：上案内レール
１２    ：既設下枠
１２ａ  ：既設下枠本体
１２ｂ  ：室内側壁
１２ｃ  ：顎部
１２ｄ  ：前壁部
１２ｅ  ：下案内レール
１２ｆ  ：下案内レール
１３    ：既設左縦枠
１３ａ  ：既設左縦枠本体
１３ｂ  ：室内側壁
１３ｃ  ：顎部
１３ｄ  ：室外側壁
１４    ：既設右縦枠
１４ｂ  ：室内側壁
２      ：捨て枠
２１    ：上捨て枠
２１ａ  ：見込み面部
２１ｂ  ：室内側係止壁部
２１ｃ  ：室外側係止壁部
２２    ：下捨て枠
２２１  ：支持部材
２２２  ：載置面部材
２３    ：左縦捨て枠
２３ａ  ：見込み面部
２３ｂ  ：室内側係止壁部
２３ｃ  ：室外側係止壁部
２４    ：縦捨て枠
３      ：新設枠体
３１    ：新設上枠
３１ａ  ：新設上枠本体
３１ｂ  ：室内側壁
３１ｃ  ：屈曲壁
３１ｄ  ：中央垂下壁
３１ｅ  ：外案内レール
３１ｆ  ：網戸レール
３１ｇ  ：突条部
３１ｈ  ：突条部
３１ｉ  ：ポケット部
３２    ：新設下枠
３２ａ  ：新設下枠本体
３２ｂ  ：室内側壁
３２ｃ  ：前壁部
３２ｄ  ：内レール
３２ｅ  ：外レール
３２ｆ  ：網戸下レール
３２ｇ  ：気密材保持壁
３３    ：新設左縦枠
３３ａ  ：新設左縦枠本体
３３ｂ  ：室内側壁
３３ｃ  ：室内側見込み壁
３３ｄ  ：室外側壁
３３ｅ  ：中央壁
３３ｆ  ：突条部
３３ｇ  ：突条部
３４    ：新設縦枠
４２    ：顎部材
５１〜５６    ：加熱膨張材
６１〜６６    ：加熱膨張材
７１，７３    ：ヒレ状部材
８１〜８３    ：気密テープ
９１，９３    ：スペーサ
【図１】
0006594824.tif 000002
【図２】
0006594824.tif 000003
【図３】
0006594824.tif 000004
【図４】
0006594824.tif 000005
【図５】
0006594824.tif 000006
【図６】
0006594824.tif 000007
【図７】
0006594824.tif 000008
【図８】
0006594824.tif 000009
【図９】
0006594824.tif 000010
【図１０】
0006594824.tif 000011
【図１１】
0006594824.tif 000012
【図１２】
0006594824.tif 000013
【図１３】
0006594824.tif 000014
【図１４】
0006594824.tif 000015
【図１５】
0006594824.tif 000016